(57)【特許請求の範囲】
【請求項１】
前方に向けて開放した凹所で構成された内面と、前方に向けて徐々に拡径する傾斜面を備えた背面とを有する回転霧化頭であって、塗装機本体に配置された回転軸の先端に取り付けられた回転霧化頭と、
前記塗装機本体に配置され、前記回転霧化頭の背面の前記傾斜面に向けて微粒化エアを吐出する微粒化エア吐出ポートとを有し、
前記微粒化エア吐出ポートが前記回転霧化頭の回転方向とは逆方向に指向され、
前記回転霧化頭の外周縁が、前記内面の外周縁と前記背面の外周縁とが交差したシャープな縁で構成され、
前記回転霧化頭の前記背面において、前記微粒化エア吐出ポートから吐出された前記微粒化エアが衝突する部位から前記背面の外周縁に至る領域が真っ直ぐに傾斜した形状を有していることを特徴とする回転霧化式静電塗装機。
【請求項２】
前記微粒化エア吐出ポートが前記塗装機本体の前端面に複数形成され、
前記複数の微粒化エア吐出ポートは前記回転軸の軸線と同心円上に等間隔に配置されている、請求項１に記載の回転霧化式静電塗装機。
【請求項３】
前記回転霧化頭を側面視したときに、該回転霧化頭の背面に対する前記微粒化エアの入射角度が２０°〜７０°である、請求項１又は２に記載の回転霧化式静電塗装機。
【請求項４】
前記微粒化エアが前記回転霧化頭に衝突する部位と前記回転霧化頭の外周縁との距離が２〜７０mmである、請求項１〜３のいずれか一項に記載の回転霧化式静電塗装機。
【請求項５】
前記微粒化エアが前記回転霧化頭に衝突する部位と前記回転霧化頭の外周縁との距離が３〜２０mmである、請求項１〜３のいずれか一項に記載の回転霧化式静電塗装機。
【請求項６】
前記微粒化エアが前記回転霧化頭に衝突する部位と前記回転霧化頭の外周縁との距離が４〜１０mmである、請求項１〜３のいずれか一項に記載の回転霧化式静電塗装機。
【発明の詳細な説明】
【技術分野】
【０００１】
本発明は、回転霧化式静電塗装機及び回転霧化頭（ベルカップ）に関する。
【背景技術】
【０００２】
静電塗装は帯電した塗料を利用した塗装方法であり、回転霧化頭を備えた回転霧化式静電塗装機は特に自動車ボディの塗装で広く活用されている（特許文献１〜３）。自動車の生産ラインには、塗装ロボットを備えた塗装ブースが設置され、この塗装ブースの中を次々と通過する自動車ボディに対して塗装が施される。
【０００３】
特許文献１は、アルミニウム片や雲母等のメタリック片を含むメタリック塗料の静電塗装に関する改善案を提案している。メタリック塗料は、ワークに衝突するときの速度が増大するほど塗装色の明度が高まるとの知見に基づいてシェーピングエアの吐出量を増量すると、これに伴って塗装パターンの幅が小さくなり、この結果、塗装ムラが発生して仕上がり品質が低下するという問題がある。特許文献１が提案する発明は、シェーピングエアの吐出量を増大しても塗装パターンの幅が小さくなるのを防止することを目的として、回転霧化頭つまりベルカップの外周縁に向けてシェーピングエアを差し向けると共にこのシェーピングエア吐出ポートをベルカップの回転軸の軸線に対して正又は逆のねじれ方向に差し向けることを提案している。この提案によれば、シェーピングエアは螺旋状の軌跡を描いていく気流となり、この螺旋気流の遠心力で、ベルカップの前方領域に発生する負圧による吸引力に打ち勝つことで塗装パターンが内側に引き寄せられるのを阻止することができる。
【０００４】
特許文献２は、上記特許文献１の発明の問題点を挙げて、この問題に対する改善案を提案している。すなわち、特許文献１の発明によれば塗装パターンの幅が広がるものの、その幅が一定であることに伴って、自動車ボディの狭小部位を塗装する際にオーバースプレイとなってしまい、塗料のロスが増大するという問題が発生する。この問題に対して、特許文献２の発明は、シェーピングエアの他に制御エアを吐出し、この制御エアによって塗装パターンの幅を可変に制御することを提案している。
【０００５】
特許文献３は、特許文献２の発明と同様に、自動車ボディの狭小部位を塗装する際のオーバースプレイの問題を改善することを目的とした発明を提案している。具体的には、特許文献３の発明は、共に旋回流であるシェーピングエアとその外周側に位置する制御エアに関して制御エア吐出ポートの傾斜角度をシェーピングエア吐出ポートの傾斜角度よりもその絶対値を大きくすることを提案している。この特許文献３の発明によれば、制御エア吐出ポートの傾斜角度をシェーピングエア吐出ポートの傾斜角度よりもその絶対値を大きく設定することにより制御エアはシェーピングエアに比べて旋回度合いを強めることができ、そして、制御エアのエア量とシェーピングエアのエア量とを相対的に増減することにより塗装パターンの幅を可変に制御することができる。
【先行技術文献】
【特許文献】
【０００６】
【特許文献１】特開平３−１０１８５８号公報
【特許文献２】特開平７−２４３６７号公報
【特許文献３】特開２００８−９３５２１号公報
【発明の概要】
【発明が解決しようとする課題】
【０００７】
自動車ボディの塗装の効率化を促進する上で、塗装パターンの幅を拡大することは有意義である。すなわち、塗装ロボットの動作速度が同じであったとしても、塗装パターンの幅を拡大することによって塗装時間を短縮できる。また、塗装パターンの幅を拡大することで塗装の重なり幅を大きく設定することができる。このことは塗装ロボットの移動距離を小さく設定できることを意味しており、この塗装ロボットの移動距離の短縮化によって塗装時間を短縮できる。
【０００８】
また、塗装の品質を高める上で塗料の微粒化向上が効果的である。塗料を微粒化する技術の開発は塗装品質の向上に通じるのは勿論であるが、塗装品質は従来と同じで良いとしたときに、この微粒化技術を使って、静電塗装に使用するエア量と回転霧化頭の回転数を低減できる可能性を含む。
【０００９】
本発明の目的は、塗装パターンの幅を拡大することのできる回転霧化式静電塗装機及び回転霧化頭を提供することにある。
【００１０】
本発明の更なる目的は、塗料を微細に微粒化することのできる回転霧化式静電塗装機及び回転霧化頭を提供することにある。
【００１１】
本発明の更なる目的は、塗着効率を向上することのできる回転霧化式静電塗装機及び回転霧化頭を提供することにある。
【課題を解決するための手段】
【００１２】
上記の技術的課題は、本発明によれば、
前方に向けて開放した凹所で構成された内面と、前方に向けて徐々に拡径する傾斜面を備えた背面とを有する回転霧化頭であって、塗装機本体に配置された回転軸の先端に取り付けられた回転霧化頭と、
前記塗装機本体に配置され、前記回転霧化頭の背面の前記傾斜面に向けて微粒化エアを吐出する微粒化エア吐出ポートとを有し、
前記微粒化エア吐出ポートが前記回転霧化頭の回転方向とは逆方向に指向され、
前記回転霧化頭の外周縁が、前記内面の外周縁と前記背面の外周縁とが交差したシャープな縁で構成され、
前記回転霧化頭の前記背面において、前記微粒化エア吐出ポートから吐出された前記微粒化エアが当たる部位から前記外周縁に至る領域が真っ直ぐに傾斜した形状を有していることを特徴とする回転霧化式静電塗装機を提供することにより達成される。
【００１４】
本発明の作用効果は以下の実施例の詳しい説明から明らかになろう。
【図面の簡単な説明】
【００１５】
【図１】実施例の回転霧化式静電塗装機の前部の断面図である。
【図２】実施例の回転霧化式静電塗装機が備えているシェーピングエア吐出ポート（微粒化エア吐出ポート）の設定を説明するための図である。
【図３】実施例の回転霧化式静電塗装機の塗装機本体の正面図である。
【図４】実施例のベルカップの外周縁の形状を説明するための断面図である。
【図５】図５に対応して従来のベルカップの外周縁部の形状を説明するための断面図である。
【図６】実施例の回転霧化式静電塗装機を使って塗装したワークの膜厚分布の測定値を示す図である。
【図７】実施例の回転霧化式静電塗装機の塗料の吐出量と塗料の平均粒子径との関係を示す図である。
【発明を実施するための形態】
【実施例】
【００１６】
以下に、添付の図面に基づいて本発明の好ましい実施例を説明する。
【００１７】
図１は、実施例の回転霧化式静電塗装機の前部の断面図である。図１を参照して、回転霧化式静電塗装機１は回転霧化頭２を有し、この静電塗装機1は、自動車のボディの塗装を行う塗装ブース内に設置されたロボットアーム（図示せず）等に装着される。回転霧化頭２は一般的に「ベルカップ」と呼ばれていることから、以下の説明では、「ベルカップ」という用語を使用する。
【００１８】
静電塗装機１は、その塗装機本体４の先端部にエアモータ（図示せず）を内蔵している。このエアモータの出力軸６には、ベルカップ２が脱着可能に連結され、エアモータが動作することによってベルカップ２は一方向に回転する。
【００１９】
ベルカップ２は、その前方に向けて開放した凹所からなる内面２ａと、前方に向けて拡径する傾斜した外周面で構成される背面２ｂとを有している。ベルカップ２の内面２ａは、この内面２ａに沿って塗料を薄く展開させる延展機能を有している。塗装機本体４の先端面には、シェーピングエア吐出ポート８が前方に向けて開放されている。
【００２０】
このシェーピングエア吐出ポート８は、モータ出力軸６の同心円上に等間隔に複数個配置されている。シェーピングエア吐出ポート８の指向方向については後に詳しく説明する。ベルカップ２には、その中心部分の周方向に連続して延びる塗料溜め１４に塗料供給管１０を介して液体塗料が供給され、そして、ベルカップ２の中心部分に形成された塗料吐出口１２を通じてベルカップ内面２ａに塗料が流出する。この塗料吐出口１２は、従来と同様にモータ出力軸６の軸線Ａの同心円上に等間隔に複数個形成されている。なお、ベルカップ２には図外の高電圧発生器から高電圧が印加される。
【００２１】
シェーピングエア吐出ポート８について図２、図３を参照して説明する。図２は、静電塗装機１の先端部分（ベルカップ２）の側面図であり、図３は塗装機本体４の正面図である。図２を参照して、シェーピングエア吐出ポート８の指向方向は、側面視したときに、モータ出力軸６の軸線Ａと平行な直線ＳＬに沿ってベルカップ２の背面２ｂに差し向けられている。
【００２２】
図２及び図３を引き続き参照して、シェーピングエア吐出ポート８を正面から見たときに、各シェーピングエア吐出ポート８は、これを通過する直線ＳＬに対してベルカップ２の回転方向Ｒとは反対方向に角度βの傾斜角度つまりモータ出力軸６に対してその回転方向Ｒとは逆方向のねじれ方向に差し向けられている。ここに上記直線ＳＬはモータ出力軸６の軸線Ａと平行である。
【００２３】
前述したように、シェーピングエア吐出ポート８は、図３から明らかなように、ベルカップ２を正面から見たときに、モータ出力軸６の軸線Ａの同心円上に等間隔に複数個配置されている。この複数のシェーピングエア吐出ポート８から吐出されたシェーピングエアＳＡはベルカップ２の回転方向とは逆方向に指向されてベルカップ背面２ｂに向かう。
【００２４】
再び図１を参照して、ベルカップ２は、その背面２ｂがモータ出力軸６の軸線Ａと直交する鉛直線ＶＬaに対して角度γの傾斜角度で直線状にベルカップ２の外周縁２ｃに延びており、この背面２ｂの傾斜角度γは５５°である（γ＝５５°）。この５５°の傾斜角度γで真っ直ぐに外周縁２ｃまで延びる領域（図２の符号Ｌ）は少なくともシェーピングエアＳＡが背面２ｂに当たる部位Ｐを含む（図２）。すなわち、ベルカップ２の背面２ｂにおいて、少なくともシェーピングエアＳＡが当たる部位Ｐ(図２)から外周縁２ｃに至る領域は５５°の傾斜角度γで真っ直ぐに伸びている。これに対して、シェーピングエアＳＡが衝突する部位Ｐよりも内周側のベルカップ背面２ｂの形状は任意である。ここに、この実施例では、ベルカップ２の直径が７７mmであり、シェーピングエアＳＡが当たる部位Ｐから外周縁２ｃまでの距離Ｌは６mmであった。シェーピングエアＳＡが当たる部位Ｐから外周縁２ｃまでの距離Ｌは２〜７０mm、好ましくは３〜２０mm、最も好ましくは４〜１０mmであり、ベルカップ２の外周縁２ｃに近い位置にシェーピングエアＳＡを当てる方が、外周縁２ｃから離れた遠い位置にシェーピングエアＳＡを当てるよりも、少ないエア量で塗料を分断且つ微粒化し易くなりワークに塗料が付着する効率つまり塗着効率の向上に貢献することができる。換言すれば、ベルカップ背面２ｂにシェーピングエアＳＡが当たる位置Ｐからベルカップ外周縁２ｃまでの距離Ｌが大きくなるほど、ベルカップ外周縁２ｃで塗料を分断するエアの力(運動量)が低下してしまうためシェーピングエアＳＡの量を増加させる必要がある。
【００２５】
ベルカップ背面２ｂの傾斜角度γを５５°に設定し且つシェーピングエア吐出ポート８の指向方向を側面視でモータ出力軸６の軸線Ａと並行に設定したことから、図２に示すように、側面視でベルカップ背面２ｂに対するシェーピングエアＳＡの入射角度αは５５°となる（α＝５５°）。シェーピングエアＳＡの拡散を防止し且つ運動エネルギーを増幅させる上で、側面視したときに、シェーピングエアＳＡのベルカップ背面２ｂに対する入射角度αは２０°〜７０°であるのがよい。
【００２６】
シェーピングエアＳＡの入射角度αは、ベルカップ背面２ｂの傾斜角度γ及び側面視したときのシェーピングエア吐出ポート８の軸線ＳＬ（図２）に対する角度によって設定することができる。静電塗装機１の塗装パターン幅に関し、ベルカップ背面２ｂの傾斜角度γを調整することにより所望の塗装パターン幅を設定することができる。所望の塗装パターン幅を得るのに好都合なベルカップ背面２ｂの傾斜角度γを設定したときに、最適なシェーピングエアＳＡの入射角度αを設定するために、シェーピングエアＳＡの所望の入射角度αが実現できるようにシェーピングエア吐出ポート８の吐出方向を設定すればよい。
【００２７】
ベルカップ２の外周縁から径方向外方に且つベルカップ２の回転方向Ｒに飛散しながら微粒化する塗料に対して、実施例のように、シェーピングエアＳＡをベルカップ２の回転方向Ｒとは逆方向に差し向けてシェーピングエアＳＡをベルカップ背面２ｂに当てることで、シェーピングエアＳＡは塗料の飛散方向と交差する状態で塗料に衝突し、これにより塗料の微粒化を一層促進させることができる。
【００２８】
図４は、実施例のベルカップ２の外周縁部を部分的に図示した説明図であり、図５は、従来のベルカップ２０の外周縁部を部分的に図示した説明図である。従来のベルカップ２０は、その外周縁２０ｃがモータ出力軸の軸線と平行な平らな面２２で構成され、ベルカップ２０の内面２０ａの外周縁と背面２０ｂの外周縁とが、この平らな面２２によって連結された形状を有している。これに対して、実施例のベルカップ２の外周縁２ｃは、内面２ａの外周縁と背面２ｂの外周縁とが互いに交差した縁で構成され、好ましくはシャープな縁で構成されている。ベルカップ２の内面２ａと背面２ｂとの交差角度は５°〜６０°であるのがよい。
【００２９】
実施例のベルカップ２がシャープな外周縁２ｃを備えることで、ベルカップ２の背面２ｂに衝突したシェーピングエアＳＡはベルカップ２の背面２ｂに沿って流れ、この流れはシャープな外周縁２ｃを通過しても維持される（図４）。
【００３０】
これに対して、従来のベルカップ２０の背面２０ｂにシェーピングエアＳＡを当てたとしても、背面２０ｂの外周縁と交差する平らな面２２にコアンダ効果が発生して、シェーピングエアＳＡは、ベルカップ２０の外周縁から離れるときにベルカップ２０の外周縁を構成する平らな面２２に沿った径方向内方に向かう気流が発生し、このためベルカップ２０から離れるシェーピングエアＳＡは径方向に分散した気流となる（図５）。これに伴ってベルカップ２０によって形成される塗装パターンは、その外周縁の切れが悪いぼやけたパターンになってしまう。
【００３１】
実験によれば、実施例のベルカップ２では、20,000rpm以下の回転速度ではベルカップ２の中心負圧によって塗装パターンが内側に収斂する傾向になった。ベルカップ２の回転速度を20,000rpm以上に上げると塗装パターンが広がる傾向になった。これに対して、外周縁２０ｃが平らな面２２で構成された従来のベルカップ２０では、20,000rpm以下の回転速度ではベルカップ２の中心負圧によって塗装パターンが内側に収斂する傾向になるのは実施例と同じであったが、従来例ではベルカップ２の回転数を高めたとしても塗装パターンの幅が実施例に比べて小さく、この比較から、実施例のベルカップ２のシャープな外周縁２ｃは塗装パターンの幅を拡大するのに効果的であることが分かった。
【００３２】
したがって、内面２ａの外周縁と背面２ｂの外周縁とが交差し且つシャープなエッジ形状の外周縁２ｃを備えた実施例のベルカップ２の使用目的を塗装パターンの幅の拡大に設定したときには、塗装の重なり幅を大きく設定することができるため、塗装ロボットの移動距離を小さく設定することで塗装時間を短縮できる。
【００３３】
実施例のベルカップ２と従来のベルカップ２０とを同じ条件で塗装したときの塗料の膜厚を測定した。塗装条件は次の通りであり、その測定結果を図６に示す。
【００３４】
塗装条件：
（１）ベルカップの回転数            ：25,000rpm；
（２）シェーピングエアＳＡの吐出速度：３７５Nl/min.
（３）塗料の吐出量                  ：３００cc/min.
（４）ベルカップへの印加電圧        ：−９０kV
（５）ベルカップとワークとの間の離間距離(HTD)：３００mm
【００３５】
測定結果を示す図６を参照して、図６の横軸は、ベルカップの軸線と交わるワークの中心からの水平距離(mm)を示し、縦軸は塗料の膜厚(μm)を示す。図６の黒塗りの印は従来例であり、白抜きの印は実施例である。なお、使用した塗料は、アルミニウム片や雲母などのメタリック片を含むメタリック塗料ではない単色のソリッド塗料であったが、メタリック塗料であってもよい。
【００３６】
従来例では、ワークの中心から１２０mmを越えて離間すると急激に膜厚が小さくなる。これに対して、実施例では、ワークの中心から２００mmまでは略均一の膜厚が維持できている。このことからも実施例のベルカップ２のシャープな外周縁２ｃが塗装パターンを拡大するのに効果的であることが分かる。
【００３７】
図７は、塗料の吐出量と塗料の平均粒子径との関係を測定したデータを示す。この図７を参照して、自動車の塗装ラインにおいて、現行の塗装条件は、（１）塗料の吐出量が約３００cc/min.、（２）塗料の平均粒径が約２０μmに設定されている。同じ条件で実施した実施例の静電塗装機１によれば、注目すべきことに、塗料の吐出量が３００〜６００cc/min.の範囲で、塗料の平均粒径が２０μm以下である。つまり、このことは塗料の吐出量を現行の塗装ラインよりも倍増できることを意味している。換言すれば、実施例の静電塗装機１は、自動車ボディの塗装ラインのワーク搬送速度を倍増させても塗装の品質を維持できる能力を備えていると言うことができる。つまり実施例の静電塗装機１は、自動車ボディの塗装効率を大きく向上させることができる能力を備えていると言うことができる。
【００３８】
実施例のベルカップ２は外周縁２ｃが、好ましくはシャープに尖ったエッジを備えており（図３、図４）、これにシェーピングエアＳＡをベルカップ背面２ｂに衝突させると共にシェーピングエアＳＡをベルカップ２の回転方向とは逆方向に指向させることで切れの良い塗装パターン及び微粒化が実現できるのは前述の通りである。このことは、従来と同じ塗装品質及び塗装パターン幅に設定した場合、シェーピングエアＳＡの吐出量つまりエアの使用量を低減できる。
【００３９】
図５を参照して説明した従来のベルカップ２０を使用し且つシェーピングエアをモータ出力軸の軸線と平行に吐出させる周知のストレート方式のシェーピングエアを使用した現行の静電塗装機の塗装条件は次の通りである。
【００４０】
自動車ボディの塗装ラインで現在使用されている静電塗装機の塗装条件：
（１）塗装パターン幅                ：３３０mm
（２）塗料の平均粒径                ：１５．８μm
なお、シェーピングエア用のエア圧力は０．１５MPaであり、ワークまでの距離（ガン距離）は３００mmであった。
【００４１】
現行の上記の塗装条件に適合させて実施例の静電塗装機１を運転したときの塗装条件は次の通りであった。
（１）シェーピングエアＳＡ用のエア圧力：０．０３MPa
（２）塗装パターン幅                  ：３９０mm
（３）塗料の平均粒径                  ：１４.６μm
（４）ワークまでの距離（ガン距離）    ：３００mm
なお、使用した塗料は、アルミニウム片や雲母などのメタリック片を含むメタリック塗料ではないソリッド塗料であったが、メタリック塗料であってもよい。
【００４２】
ここで注目すべきことは、現行の静電塗装機の塗着効率が８７．０％であるのに対して、実施例の静電塗装機１の塗着効率は９２．５％であった。つまり実施例の静電塗装機１は塗着効率を５．５％向上できる効果を確認できた。
【００４３】
実施例の静電塗装機1にあっては、シェーピングエア用のエア圧力（０．０３MPa）が従来（０．１５MPa）よりも低い圧力であるにも拘らず塗料の微粒化が実現できており、しかも塗着効率を５．５％向上させるのに成功している。ちなみに、上記の実験例では、ワークまでの距離を、現状の自動車ボディを塗装する塗装ラインと同じに３００mmに設定したが、実施例の静電塗装機１ではシェーピングエア用のエア圧として従来よりも大幅に低い圧力を設定できるため、静電塗装機1とワークとの間の距離（ガン距離）を例えば２００mmに設定することが可能である。そして、ガン距離を小さく設定することで一層の塗着効率の向上が期待できるのは当業者であれば容易に理解できるであろう。
【００４４】
図１に図示の実施例に含まれるベルカップ２の変形例として、ベルカップ背面２ｂの傾斜角度γを４５°に設定した試作品（シェーピングエアＳＡの入射角αが４５°）を作って前述した様々な試験を行ったところ、前述した実施例に含まれるベルカップ２（γ＝５５°）と実質的に同じか若干劣った結果が得られた。このことから、実験によれば、ベルカップ背面２ｂの傾斜角度γは大きい値になるほど良好な結果が得られると推察できる。また、シェーピングエアＳＡがベルカップ背面２ｂに衝突することによりシェーピングエアＳＡの拡散を無くし、シェーピングエアＳＡの運動エネルギーを凝集させることでより有効に塗料の微粒化に寄与させることが出来たと考えられる。そしてベルカップ外周縁２ｃを、内面２ａと背面２ｂとが交差した縁で構成することで、一層効果的に微粒化能力が向上し、上述した優れた効果が得られたと推察できる。
【００４５】
実施例に含まれるベルカップ２は内面２ａと背面２ｂとが交差した縁で構成されていることから、前述したように、静電塗装機１の塗装パターンの幅はベルカップ背面２ｂの傾斜角度γによって規定することができる。したがって、ベルカップ背面２ｂの傾斜角度γを調整することで所望の塗装パターン幅を得ることができる。
【００４６】
以上、本発明の好ましい実施例を説明したが、ベルカップ２の背面２ｂに当てるシェーピングエアＳＡの他に、その径方向外方に追加のエア吐出ポートを設け、この追加のエア吐出ポートから吐出するエアによって塗装パターンの幅を狭める制御を行うようにしてもよい。このように内外二重にエアを吐出する形式を採用したときに、追加のエア吐出ポートから吐出されるエアを「制御エア」と呼ぶと、この制御エアの量を制御することにより塗装パターンの幅を可変に制御することができる。この内外二重にエアを吐出する静電塗装機において、ベルカップ背面２ｂに当てるエアを「微粒化エア」と呼び、外側のエアを「制御エア」と呼ぶと、制御エアを含んでいない実施例の静電塗装機１のシェーピングエアＳＡと用語を共通化するために、ベルカップ背面２ｂに当てるエアを「微粒化エア」というタームで総称することができ、また、これに関連して、実施例の説明で使用した「シェーピングエア吐出ポート」を「微粒化エア吐出ポート」で総称することができる。
【符号の説明】
【００４７】
１    回転霧化式静電塗装機
２    ベルカップ（回転霧化頭）
２ａ  ベルカップ内面
２ｂ  ベルカップ背面
２ｃ  ベルカップ外周縁
４    塗装機本体
６    エアモータの出力軸
８    シェーピングエア吐出ポート（微粒化エア吐出ポート）
１０  塗料供給管
１４  塗料溜め
１２  塗料吐出口
ＳＡ  シェーピングエア（微粒化エア）
Ａ    モータ出力軸の軸線
α    シェーピングエアの入射角度
β    シェーピングエア吐出ポートのねじれ角度
（ベルカップの回転方向とは逆方向）
γ    ベルカップ背面の傾斜角度
【図１】
0005826662.tif 000002
【図２】
0005826662.tif 000003
【図３】
0005826662.tif 000004
【図４】
0005826662.tif 000005
【図５】
0005826662.tif 000006
【図６】
0005826662.tif 000007
【図７】
0005826662.tif 000008